(57)【特許請求の範囲】
【請求項１】
音響整合層、圧電体、並びに、バッキング材が順に積層されてなる部材により構成され、
前記圧電体の前記積層方向の表裏の一方に第１の電極及び他方に第２の電極を有し、
前記部材の前記積層方向に平行な第１の面に設けられ、前記第１の電極と接続され前記第１の電極から前記バッキング材に亘り形成された駆動電極リードと、
前記音響整合層から前記バッキング材の少なくとも一部に至り、前記駆動電極リードを電気的に分割する溝と、
前記第１の面と反対側の第２の面に設けられ、前記溝により分割された前記第２の電極を共通に接続し、前記第２の電極から前記バッキング材に亘り形成されたアース電極リードと、
前記積層方向に平行な前記部材の面のうち、前記第１の面及び前記第２の面と異なる面上に設けられ、前記アース電極リードと接続されるアース電極パッドと、
を備えることを特徴とする超音波トランスデューサ。
【請求項２】
複数の前記部材を、電気絶縁材を介して配列した請求項１に記載の超音波トランスデューサ。
【請求項３】
前記溝は、前記第１の面から前記第２の面に貫通し、前記音響整合層側の端部から前記バッキング材の前記圧電体に接している側の端部近傍に至り、所定のピッチで複数形成され、
前記駆動電極リードまたは前記アース電極リードの少なくともいずれか一方は、前記溝により分割された前記圧電体毎または前記溝により分割された前記圧電体のうちの２以上で構成される圧電体群毎に形成されている請求項１に記載の超音波トランスデューサ。
【請求項４】
前記部材の前記積層方向に直交するバッキング材側の面に、前記溝により分割された圧電体または前記圧電体群に対応する電極パッドが形成され、
前記駆動電極リードまたは前記アース電極リードの少なくともいずれか一方は、前記電極パッドと接続された請求項３に記載の超音波トランスデューサ。
【請求項５】
前記第１の面または前記第２の面の少なくともいずれか一方の前記バッキング材上に、前記溝により分割された圧電体または前記圧電体群に対応する配線パターンを有するプリント基板が設けられ、
前記駆動電極リードまたは前記アース電極リードの少なくともいずれか一方は、それぞれに対応する前記配線パターンに接続された請求項３に記載の超音波トランスデューサ。
【請求項６】
前記プリント基板は、前記溝の断面形状に沿って切り欠き部と凸形状部とが交互に形成され、
前記駆動電極リードまたは前記アース電極リードの少なくともいずれか一方と前記配線パターンとは前記凸形状部で接続された請求項５に記載の超音波トランスデューサ。
【請求項７】
前記アース電極リードを有する面の前記バッキング材上に、前記アース電極リードと接続される配線パターンを有するプリント基板が設けられた請求項１に記載の超音波トランスデューサ。
【請求項８】
前記積層方向に平行な前記第１の面から前記第２の面に貫通し、前記音響整合層側の端部から前記バッキング材の前記圧電体に接している側の端部近傍に至る溝が所定のピッチで複数形成され、
前記プリント基板は、前記溝により分割された圧電体または前記圧電体群に対応する配線パターンを有し、前記溝の断面形状に沿って切り欠き部と凸形状部とが交互に形成され、
前記アース電極リードは、それぞれに対応する前記配線パターンに、前記凸形状部で接続された請求項７に記載の超音波トランスデューサ。
【請求項９】
前記部材は、複数の圧電体が積層されてなり、
それぞれの該圧電体の前記積層方向の表裏の一方に第１の電極及び他方に第２の電極を有し、前記第１の電極及び第２の電極は交互に配置された請求項１乃至請求項６のいずれかに記載の超音波トランスデューサ。
【請求項１０】
音響整合層、圧電体、並びに、バッキング材が順に積層されてなる直方体部材により構成され、
前記圧電体の前記積層方向の表裏の一方に駆動電極及び他方にアース電極を有し、
前記直方体部材の前記積層方向に平行な面に、前記駆動電極と接続され前記駆動電極から前記バッキング材に亘り形成された金属薄膜による駆動電極リードと、前記アース電極と接続され前記アース電極から前記バッキング材に亘り形成された金属薄膜によるアース電極リードとを有し、
前記駆動電極リード及び前記アース電極リードのそれぞれは、前記積層方向に平行な第１の面と反対側の第２の面とにそれぞれ設けられ、
前記第１の面から前記第２の面に貫通し、前記音響整合層側の端部から前記バッキング材の前記圧電体に接している側の端部近傍に至る溝が所定のピッチで複数形成され、
前記駆動電極リードは、前記溝により分割された前記圧電体毎または前記溝により分割された前記圧電体のうちの２以上で構成される圧電体群毎に形成され、
前記直方体部材の前記積層方向に直交するバッキング材側の面に、前記溝により分割された圧電体または前記圧電体群に対応する駆動電極パッドが形成され、
前記駆動電極リードは、前記駆動電極パッドと接続され、
前記アース電極リードは、前記積層方向に平行な前記直方体部材の面のうち前記第１の面及び前記第２の面とは異なる面のバッキング材上にアース電極パッドが形成され、
前記アース電極リードは、前記アース電極パッドと接続される
ことを特徴とする超音波トランスデューサ。
【発明の詳細な説明】
【技術分野】
【０００１】
本発明は、超音波診断装置や超音波探傷装置等に用いられる超音波トランスデューサに関し、超音波トランスデューサからの電極リードの引き出しの技術に関するものである。
【背景技術】
【０００２】
従来より、超音波診断装置に使用する超音波プローブは超音波の送受信を行う超音波トランスデューサと超音波診断装置本体との間で電気信号を授受するために機能するケーブルアセンブリ、更に必要に応じて電気信号を制御する集積回路等モジュールから構成される。
【０００３】
近年、超音波ビームの偏向、集束を全方位に渡って行い、超音波による３次元走査が可能な超音波プローブ、及びこの超音波プローブにより収集された被検体からの超音波情報に基づいて立体（３次元）超音波画像を生成し表示する超音波診断装置の検討が行われている。
【０００４】
この超音波の全方位的なフォーカシングや高速な３次元走査を実現する超音波プローブとしては、超音波トランスデューサを構成する超音波振動素子をマトリックス状に多数配列した２次元アレイ超音波プローブがある。ここで、図１５は、２次元アレイ超音波プローブを構成する２次元アレイ超音波トランスデューサの従来の構成を示す概略図であり、図１５（ａ）は、２次元アレイ超音波トランスデューサ１０の斜視図、図１５（ｂ）は、図１５（ａ）において矢印方向から見たＣ−Ｃ断面図である。
【０００５】
図１５（ａ），（ｂ）に示すように、２次元アレイ超音波トランスデューサ１０は、音響整合層１２、アース電極１４、超音波振動素子（圧電体）１６、信号電極１８、バッキング材２０（負荷材相）及び信号リード２２（駆動電極リード）を具備する構成となっている（例えば、特許文献１参照）。
【０００６】
音響整合層１２は、被検体（図示せず）と超音波振動素子１６との間に位置するように設けられており、被検体と超音波振動素子１６との音響インピーダンスの整合をとるものである。
【０００７】
アース電極１４は、各超音波振動素子１６の一端に設けられている。アース電極１４はアース接続されている。
【０００８】
超音波振動素子１６は、２成分系或いは３成分系の圧電セラミックス等から成る圧電素子であり、２次元マトリックス状に配列されている。この超音波振動素子１６の２次元的配列により、超音波の全方位的なフォーカシングと高速な３次元走査が可能である。
【０００９】
信号電極１８は、各超音波振動素子１６の他端（すなわち、アース電極１４とは異なる一端）に設けられており、圧電効果のための電力印加や被検体から受波した超音波に基づく電気信号を出力する電極である。
【００１０】
バッキング材２０は、超音波振動素子１６の背面に設けられており、当該超音波振動素子１６を機械的に支持する。
【００１１】
また、バッキング材２０は、後方への超音波を吸収し、また、超音波振動素子１６の余分な振動を抑え、さらに、超音波パルスを短くするために、超音波振動素子１６の動きを制動している。
【００１２】
このバッキング材２０は、後述する信号リード２２の端部２３が２次元配列されるように、信号電極１８から超音波振動素子１６の配列面と垂直な方向に信号リード２２を引き出し可能な経路が形成されている。
【００１３】
信号リード２２は、その一端において信号リード２２の端部２３を有している。また、他端においては各超音波振動素子１６の信号電極１８と接続されており、超音波振動素子１６の配列面と垂直な方向に、信号電極１８から伸延して、バッキング材２０中の経路を通し信号リード２２の端部２３が引き出されている。従って、信号リード２２の端部２３は、超音波振動素子１６と反対側のバッキング材２０の面において、２次元アレイ状に並んだ構成となっている。図１５に示すように２次元アレイ超音波プローブでは、超音波トランスデューサを構成する超音波振動素子１６をマトリックス状に多数配列するため、それぞれから信号リード２２を引き出すことは容易ではない。
【００１４】
また、振動子配列に対応する中継基板をバッキング材背面に配置して信号リードの引き出しを構成する構造を採用した特許文献１の他には、マトリックス状に配列した素子の各列間隔に各振動子から信号リード及びアースを引き出すためのプリント基板を配置した構造を有し、プリント基板上に１列相当の振動子アレイを実装した後、振動子を実装したプリント基板を行方向に配列して２次元アレイトランスデューサを構成する方法が提案されている（例えば、特許文献２）。これによれば、信号リード及びアースはプリント基板に形成されるので、信号リード及びその引き出し及びアースの引き出しも容易である。
【００１５】
また、２次元アレイ超音波プローブの個々の超音波振動素子は、大きさが小さくなるためインピーダンスが大きくなり、超音波の送信音圧の低下や、受信時の伝送損失が増大する場合がある。これに対し、特許文献１に記載の２次元アレイ超音波プローブでは、積層圧電体の内部電極から信号リード及びアースを引き出すことは困難であるが、特許文献２の方法によれば、積層圧電体の内部電極をプリント基板に形成された信号リードまたはアースに交互に連結・絶縁することができるから、超音波振動素子１６として積層圧電体を採用でき、これにより超音波振動素子１６のインピーダンスを低減することが可能となる。そのため超音波の送信音圧の増強や、受信時の伝送損失の低減が可能となる。
【００１６】
【特許文献１】特開２００１−２９２４９６号公報
【特許文献２】特開２００１−３０９４９３号公報
【発明の開示】
【発明が解決しようとする課題】
【００１７】
しかしながら、特許文献２の方法、すなわち超音波振動素子をプリント基板に実装する方法では、超音波振動素子の側面がプリント基板に固定されているので超音波振動素子の振動がプリント基板により阻害される。また、他の超音波振動素子の振動がプリント基板を介して伝播されることがある。また、超音波振動素子の配列は、プリント基板上の超音波振動素子の配列方向と、プリント基板の配列方向とでは、超音波振動素子間のプリント基板の存在が異なるから２次元アレイ超音波プローブに異方性を有する。したがって、超音波特性、例えば超音波波形、スペクトラム及び指向性に問題を生じる場合がある。また、プリント基板上に１列相当の振動子アレイは、厚みにばらつきが生じやすく、行方向の配列位置精度が不十分となることがある。さらに、プリント基板の厚さにより、プリント基板の配列方向の超音波振動素子の配列間隔を小さくできず制約されるという問題があった。
【００１８】
本発明は、以上の問題点に鑑みてなされたものであって、その目的は、圧電体をプリント基板に実装することなく、圧電体からの電極リードの引き出しが容易な超音波トランスデューサを提供することにある。
【課題を解決するための手段】
【００１９】
上記課題を解決するために請求項１記載の発明に係る超音波トランスデューサは、音響整合層、圧電体、並びに、バッキング材が順に積層されてなる部材により構成され、前記圧電体の前記積層方向の表裏の一方に第１の電極及び他方に第２の電極を有し、前記部材の前記積層方向に平行な第１の面に設けられ、前記第１の電極と接続され前記第１の電極から前記バッキング材に亘り形成された駆動電極リードと、前記音響整合層から前記バッキング材の少なくとも一部に至り、前記駆動電極リードを電気的に分割する溝と、前記第１の面と反対側の第２の面に設けられ、前記溝により分割された前記第２の電極を共通に接続し、前記第２の電極から前記バッキング材に亘り形成されたアース電極リードと、前記積層方向に平行な前記部材の面のうち、前記第１の面及び前記第２の面と異なる面上に設けられ、前記アース電極リードと接続されるアース電極パッドと、を備えることを特徴とする。
【発明の効果】
【００２０】
本発明によれば、超音波トランスデューサを音響整合層、第１の電極及び第２の電極を有する圧電体、並びに、バッキング材が積層されてなる直方体で構成し、直方体の積層方向に平行な面に金属薄膜を形成することによって第１の電極と接続される第１電極リード及び第２の電極と接続される第２電極リードとして容易に引き出すことができる。
【発明を実施するための最良の形態】
【００２１】
以下、本発明の実施形態につき、図面を参照して説明する。なお、ここでは、本実施形態の超音波トランスデューサを、その製造プロセスに沿って説明することにする。
【００２２】
〔第１の実施形態〕
図１〜図１１は、本発明に係る第１の実施形態の超音波トランスデューサを説明するための図である。
【００２３】
（積層体形成）
まず、積層体１を形成する。図１は、超音波トランスデューサを構成する積層体１を示す図である。図１に示すように、積層体１は、図１上側から音響整合層１２、アース電極１４、圧電体１６及び内部電極１１ａ、１１ｂ、信号電極１８、並びに、バッキング材２０が積層された構成となっている。各部材を予め所定の厚さに加工した後、接着剤などにより接着することにより積層体１を形成する。また、本例の圧電体１６は積層圧電体を例とし、内部電極１１ａ、１１ｂと分割された３つの小圧電体が積層されて構成される。信号電極１８及びアース電極１４は、本発明の第１の電極または第２の電極に相当する。
【００２４】
（板状体切り出し）
次に、図２に示すように積層体１から所定の幅で板状体１０を機械加工で切り出す。この板状体１０は本発明の直方体部材である。図２は、積層体１から板状体１０を切り出した様子を示した図である。そして、図３に切り出された板状体１０を示す。さらに、板状体１０の切断面等を必要に応じて研磨することにより、切断面を平滑化し、且つ、板状体１０の高さ、幅及び厚さなどの各寸法を整える。
【００２５】
（溝加工及び絶縁処理）
続いて、溝加工及び絶縁処理を行う。図４（ａ）における板状体の手前側端部の拡大図を図４（ｂ）に示し、その拡大図に形成される絶縁処理用の溝を示した。図４（ｂ）に示すように、板状体１０の面のアース電極１４、内部電極１１ａ、１１ｂ、及び、信号電極１８のそれぞれの位置に、積層方向に平行な一方の面（表面）１３及び他方の面（裏面）１５に交互に電極を跨ぐ溝を形成する。そして、各溝に電気絶縁樹脂を充填する。
【００２６】
これによって、後述の図５を用いて説明する工程に於いて、板状体１０の表面１３または裏面１５に圧電体１６からバッキング材２０に伸延する金属薄膜をスパッタ、蒸着などによって形成した際、溝加工及び電気絶縁樹脂充填処理を施した面側では、電極は形成する金属薄膜と電気的に絶縁され、且つ、溝加工及び電気絶縁樹脂充填処理を施さなかった面側では、電極は形成する金属薄膜と電気的に接続することが可能となる。
【００２７】
（駆動電極リードの形成）
図５に駆動電極リード１７の一例を示す。図５は、板状体１０を表面１３側から見た斜視図である。本実施例では、表面１３側に圧電体１６からバッキング材２０に伸延する金属薄膜を形成し、内部電極１１ａと信号電極１８とが金属薄膜によって電気接続されて駆動電極リード１７を構成する。したがって、内部電極１１ａは信号電極となる。金属薄膜としてＣｒとＡｕの２層構造を採用するがその限ではなく層数、材料を変更することも可能である。また、図５（ａ）に示すように、駆動電極リード１７は、バッキング材２０の表面１３側では、帯状に所定のピッチで形成される。また、図５（ｂ）は、板状体１０をバッキング材２０の端面側から見た斜視図であるが、図５（ｂ）に示すように、金属薄膜により積層方向に直交するバッキング材２０の端面に電極パッド１９が駆動電極リード１７と同じピッチで形成され、各駆動電極リード１７は、それぞれ電極パッド１９に導かれる。この各駆動電極リード１７は、圧電体１６が分割された際、個々の圧電体１６を独立したチャンネルとして動作させるための独立した駆動電極リード１７として機能する。また、電極パッド１９は、後述のＩＣ基板４０等との接続に用いられるものである。
【００２８】
図６に圧電体１６が音響整合層１２からバッキング材２０の圧電体１６側の端部近傍に亘り表面１３から裏面１５に貫通する分割溝２５（溝）で所定のピッチで等間隔に分割されたときの様子を示す。図６に示すように、各駆動電極リード１７は、それぞれ分割された圧電体１６の内部電極１１ａと信号電極１８とに接続される。ただし、図６は、各駆動電極リード１７と分割されたときの圧電体１６との関係を説明するためのものであって、本実施の形態では、圧電体１６の分割は、後述の図１１に示す工程で初めて実現される。しかしながら、図６に示す板状体１０を１つ用いて１次元アレイの超音波トランスデューサとして用いることも可能である。また、分割されたときの圧電体１６の２以上で圧電体群を構成し、駆動電極リード１７を圧電体群毎に接続するようにしてもよい。
【００２９】
また、本例では金属薄膜は表面１３で圧電体１６全面およびバッキング材２０の一部に形成されたがその限りではなく、連結すべき電極（全面・背面・内部電極の一部）に電気接続される限に於いては圧電体１６の一部に留めることも可能であって、また、音響整合層１２側面に及ぶこともあり得る。更に本例においてはバッキング材２０においてのみ金属薄膜が等間隔でパターン化され形成されているがその限ではなく、圧電体１６の面において金属薄膜をパターン化して形成することも可能である。
【００３０】
（アース電極リードの形成）
図７にアース電極リード２１の一例を示す。図７は、板状体１０を裏面１５側から見た斜視図である。本実施例では、裏面１５側に圧電体１６からバッキング材２０に伸延する金属薄膜を形成し、アース電極１４と内部電極１１ｂとが金属薄膜によって電気接続されてアース電極リード２１を構成する。したがって、内部電極１１ｂはアース電極となる。金属薄膜としてＣｒとＡｕの２層構造を採用するがその限ではなく層数、材料を変更することも可能である。
【００３１】
また、図８には図６と同様に圧電体１６が分割溝２５で所定のピッチに等間隔で分割されたときの様子を示すが、アース電極リード２１は、分割溝２５の底面２５ａよりからさらにバッキング材２０側に伸延して形成する。また、図７または図８に示すように、金属薄膜により積層方向に平行な面で表面１３及び裏面１５を除く面のバッキング材２０の端面にアース電極パッド２６が形成され、アース電極リード２１はアース電極パッド２６に導かれ接続される。
【００３２】
ここで、駆動電極リード１７及びアース電極リード２１は、本発明の第１の電極リードまたは第２の電極リードに相当する。また、上記の説明では駆動電極リード１７及びアース電極リード２１を表裏に配置するようにしたこれに限らず例えば隣接する面にそれぞれを配置するようにしてもかまわない。
【００３３】
（積層工程）
最後に積層工程について説明する。上記のごとく駆動電極リード１７及びアース電極リード２１を形成した板状体１０を、図９に示す如く図示しない所定の厚さの樹脂等の電気絶縁材を間隙に介して１列に配列する。
【００３４】
更に、図１０に示す如く図８の配列方向とは略直交する方向に複数の分割溝２５を形成することによって、それぞれの板状体１０の音響整合層、圧電体を図６及び図８で示したように分離する。
【００３５】
最後に図１１に示す如く電気絶縁樹脂で分割溝を充填する。そして、図１１に示す音響整合層、圧電体が２次元アレイ状に並んだ超音波トランスデューサが形成される。本実施例の超音波トランスデューサは図示されないバッキング材底面に２次元配列された駆動電極パッド１９を有し、図示されないバッキング材側面にアース電極パッド２６を有している。
【００３６】
さらに、図１２は、第１の実施形態における超音波トランスデューサと超音波診断装置本体とを接続するケーブル（図示せず）と、ＩＣ基板４０とを接続する機構を説明するための図である。
【００３７】
図１２に示すように、超音波トランスデューサとＩＣ基板４０とは中継基板を介し接続される。中継基板は、樹脂やセラミクスなどからなる平板形状の基板が望ましい。この中継基板は、例えば、超音波トランスデューサに対向する側の面に中継パッドが信号リードに応じて配設され、超音波トランスデューサの駆動電極パッド１９のそれぞれと接続される。また、図示しないが、アース電極パッド２６は、例えば超音波プローブの筐体等を介してアース接続される。
【００３８】
また、図１２に示すように、ケーブル接続基板５０は、上述したＩＣ基板４０と、超音波診断装置本体とＩＣ基板４０等との電気的接続を取るケーブル（図示せず）とを接続するための基板である。当該ケーブル接続基板５０は、柔軟性を備えたＦＰＣでできており、その一端は、ＩＣ基板４０における信号リード（図示せず）が設けられた一端とは反対側の一端に電気的に接続されている。
【００３９】
コネクタ６２は、ケーブル接続基板５０の他端及び前記ケーブルの一端にそれぞれ設けられている。このコネクタ６２によって、ケーブル接続基板５０と前記ケーブルとは電気的に接続される。
【００４０】
このような構成により、ＩＣ基板４０上の各ＩＣ４５によって処理された信号は、ケーブル接続基板５０を介して超音波診断装置本体に送信されることとなる。
【００４１】
以上、説明したように、音響整合層・圧電体・バッキング材などの積層体から切り出した板状体の表面または裏面に金属薄膜を形成することにより、駆動電極リード及びアース電極リードを容易に引き出すことができる。また、駆動電極リード、アース電極リードは金属薄膜であるから、圧電体の振動を阻害する恐れがなく、良好な超音波特性を確保することが可能である。圧電体として内部電極を有する積層圧電体を採用することが可能であるから、電気インピーダンス低減、延いては性能向上が可能となる。また、板状体を用いるので、板状体を積層体から機械加工で切り出した後、研磨加工を施して形成することが可能なため、形状寸法が安定且つ高精度で確保出来るので、行方向の配列を行う際の配列位置精度を確保することが可能となる。また駆動電極、アース電極の引き出しを金属薄膜で行うため、配列間隔を小さくすることが可能である。
【００４２】
上記の説明において、一方を駆動電極リードとし他方をアース電極リードとしたが、必ずしもどちらかをアース電極リードに限ることはなく、いずれもが上記の駆動電極リードの構成を有するようにしてもよい。
【００４３】
（第２の実施形態）
本発明に係る第２の実施形態としての超音波トランスデューサについて説明する。本実施形態は、駆動電極リード１７として圧電体側面に形成された金属薄膜とそれに電気接続されるプリント基板の配線パターンを利用するものである。なお、以下には第１の実施の形態と実質的に同様の構成については、詳細な説明を省略し、主に異なる点について述べる。
【００４４】
図１３にプリント基板３０（駆動電極リード用プリント基板）を用いた駆動電極リード１７の形成の一例を示す。まず、図１３（ａ）に示すように、帯状の配線パターン３１が所定のピッチで形成されたプリント基板３０を板状体１０の表面１３側のバッキング材２０上に配置する。プリント基板３０は、接着剤などにより接着する。そして、図１３（ｂ）に示すように、圧電体１６からプリント基板３０の端部近傍に伸延する金属薄膜を形成する。本例に於いてはプリント基板３０の構成として配線パターン３１が露出したものを採用したがその限ではなく金属薄膜との接続部分のみを露出させ他を電気絶縁材料で被覆することも可能である。また本実施例ではプリント基板３０はバッキング材２０表面から突出した形で配置したが、バッキング材２０表面を機械加工によって凹ませ内部に埋設することも可能であって、圧電体１６を覆わない位置に配置する。図１４に圧電体１６が分割溝２５で等ピッチに分割されたときの様子を示す。図１４に示す通り、圧電体１６を分離する分割溝２５は音響整合層１２、圧電体１６のみならずバッキング材２０及びプリント基板３０の圧電体１６側端部近傍にまで至り、分割溝２５によってプリント基板３０に切り欠き部３２と凸形状部３３が交互に形成され、駆動電極リード１７と配線パターン３１はそれぞれ凸形状部３３で接続され各駆動電極リード１７は電気的に分離される。
【００４５】
また、図示しないが、本実施の形態のプリント基板３０を延長してＩＣを実装してもよいし、また、プリント基板３０の端面に配線パターン３１を露出させることにより第１の実施の形態の電極パッドと同様に利用することが可能である。
【００４６】
また、図示しないが、アース電極リードも同様にプリント基板（アース電極リード用プリント基板）を利用することが可能である。また、同様に分割溝２５によりアース電極リードそれぞれ分割し独立させてもよい。
【００４７】
また、第１の実施の形態の構成による駆動電極リード１７と本実施の形態のプリント基板によるアース電極リードとを組み合わせて用いることや、また、第１の実施の形態の構成によるアース電極リード２１と本実施の形態のプリント基板による駆動電極リードとを組み合わせて用いることも可能である。
【図面の簡単な説明】
【００４８】
【図１】第１の実施形態の超音波トランスデューサを構成するための積層体を示す斜視図である。
【図２】積層体からの切り出される超音波トランスデューサを構成する板状体を示す斜視図である。
【図３】第１の実施形態の超音波トランスデューサを構成する板状体を示す斜視図である。
【図４】板状体に形成される絶縁処理用の溝を示す斜視図である。
【図５】板状体に形成される駆動電極リードを示す斜視図である。
【図６】圧電体を等ピッチで分割するように板状体に形成される分割溝を示す斜視図である。
【図７】板状体に形成されるアース電極リードを示す斜視図である。
【図８】圧電体を等ピッチで分割するように板状体に形成される分割溝を示す斜視図である。
【図９】本発明に係る超音波トランスデューサを構成するために、複数の板状体が積層された様子示す斜視図である。
【図１０】複数の積層された板状体に分割溝が形成された様子示す斜視図である。
【図１１】複数の積層された板状体に形成された分割溝に電気絶縁樹脂が充填された様子示す斜視図である。
【図１２】第１の実施の形態の超音波トランスデューサとＩＣ基板とを接続する機構を説明するための図である。
【図１３】プリント基板を用いた駆動電極リードを示す斜視図である。
【図１４】プリント基板を用いたアース電極リードを示す斜視図である。
【図１５】超音波プローブの従来の構成を示す斜視図である。
【符号の説明】
【００４９】
１  積層体
１０  板状体
１１  内部電極
１２  音響整合層
１４  アース電極
１６  圧電体
１７  駆動電極リード
１８  信号電極
１９  電極パッド
２０  バッキング材
２５  分割溝
２６  アース電極パッド
３０  プリント基板
３１  配線パターン
３２  切り欠き部
３３  凸形状部
４０  ＩＣ基板
４５  ＩＣ
５０  ケーブル接続基板
６２  コネクタ
【図１】
0004703416.tif 000002
【図２】
0004703416.tif 000003
【図３】
0004703416.tif 000004
【図４】
0004703416.tif 000005
【図５】
0004703416.tif 000006
【図６】
0004703416.tif 000007
【図７】
0004703416.tif 000008
【図８】
0004703416.tif 000009
【図９】
0004703416.tif 000010
【図１０】
0004703416.tif 000011
【図１１】
0004703416.tif 000012
【図１２】
0004703416.tif 000013
【図１３】
0004703416.tif 000014
【図１４】
0004703416.tif 000015
【図１５】
0004703416.tif 000016